(57)【要約】  医療サービスマーケットプレイスシステム及び方法を提供する。システムは、医療関連イベントのより完全なビューを提供する、ユーザのためのヘルスストリームを生成することができる。システムは、明瞭なサービス記述及び公示価格を含む透過的な医療マーケットプレイスを提供することもできる。【選択図】図１
2017500623.tif 000002
【特許請求の範囲】
【請求項１】
システムであって、
プロセッサを有する医療管理コンピュータシステムを備え、
前記プロセッサは、前記システムの各ユーザのためのヘルスストリームを生成するように構成され、前記ユーザの前記ヘルスストリームは、前記システムの１又は２以上のメンバーと共有可能であり、前記ヘルスストリームは、前記ユーザに関する複数の医療関連データを有し、
前記プロセッサは、サードパーティシステム上のアカウントを前記医療管理コンピュータシステムにリンクして、前記リンクされたサードパーティシステムのアプリケーションプログラミングインターフェイスを用いて前記ユーザの前記ヘルスストリーム内に医療関連データをインポートするように構成され、
前記プロセッサは、前記ユーザによって入力された医療関連データ及び前記インポートされた医療関連データに基づいて、前記ユーザのための前記ヘルスストリームを生成するように構成される、
ことを特徴とするシステム。
【請求項２】
前記プロセッサは、ＯＡｕｔｈ認可プロセスを用いて前記アカウントを前記医療管理コンピュータシステムにリンクするように構成される、
請求項１に記載のシステム。
【請求項３】
前記プロセッサは、前記医療関連データの各々に割り当てられたアクセスレベルに基づいて、前記ユーザの前記ヘルスストリームを共有するように構成される、
請求項１に記載のシステム。
【請求項４】
前記システムの前記１又は２以上のメンバーは、前記ユーザのための１又は２以上の医療供給者及び前記ユーザの家族である、
請求項３に記載のシステム。
【請求項５】
前記プロセッサは、前記医療関連データを前記ヘルスストリームにドラッグアンドドロップするように構成される、
請求項１に記載のシステム。
【請求項６】
前記プロセッサは、前記ヘルスストリーム内に新たな医療関連データが存在する場合、前記医療供給者にアラートするように構成される、
請求項４に記載のシステム。
【請求項７】
前記アラートは、電子メールメッセージ及びＳＭＳメッセージの一方である、
請求項６に記載のシステム。
【請求項８】
前記ユーザの前記ヘルスストリームは、前記ヘルスストリーム内に複数のケースを有する、
請求項１に記載のシステム。
【請求項９】
前記複数のケースは、複数の家族のためのヘルスストリームである、
請求項８に記載のシステム。
【請求項１０】
前記医療関連データは、チェックインイベント、写真、前記ユーザの投薬、外来診療イベント及びビデオのうちの１つである、
請求項１に記載のシステム。
【請求項１１】
前記チェックインイベントは、前記チェックインイベントの場所へのリンクをさらに含む、
請求項１０に記載のシステム。
【請求項１２】
前記写真は、元々の電話と、該写真の異なる解像度の１又は２以上のキャッシュバージョンとをさらに含む、
請求項１０に記載のシステム。
【請求項１３】
前記投薬は、該投薬の開始及び停止時点、及び前記投薬の投与量レベルをさらに含む、
請求項１０に記載のシステム。
【請求項１４】
前記プロセッサは、前記ユーザの前記ヘルスストリームに基づいて、タイムラインユーザインターフェイスを表示するように構成される、
請求項１に記載のシステム。
【請求項１５】
各々が前記医療管理コンピュータシステムとやりとりするように結合した１又は２以上のコンピュータ装置をさらに備える、
請求項１に記載のシステム。
【請求項１６】
方法であって、
プロセッサを有する医療管理コンピュータシステムを準備するステップと、
前記プロセッサにより、前記システムの各ユーザのためのヘルスストリームを生成するステップと、
を含み、前記ユーザの前記ヘルスストリームは、前記システムの１又は２以上のメンバーと共有可能であり、前記ヘルスストリームは、前記ユーザに関する複数の医療関連データを有し、前記方法は、
前記プロセッサにより、サードパーティシステム上のアカウントを前記医療管理コンピュータシステムにリンクするステップと、
前記リンクされたサードパーティシステムのアプリケーションプログラミングインターフェイスを用いて、前記ユーザの前記ヘルスストリーム内に医療関連データをインポートするステップと、
前記プロセッサにより、前記ユーザによって入力された医療関連データ及び前記インポートされた医療関連データに基づいて、前記ユーザのための前記ヘルスストリームを生成するステップと、
をさらに含むことを特徴とする方法。
【請求項１７】
前記アカウントを前記医療管理コンピュータシステムにリンクするステップは、ＯＡｕｔｈ認可プロセスを用いるステップをさらに含む、
請求項１６に記載の方法。
【請求項１８】
前記ユーザの前記ヘルスストリームの共有は、医療関連データの各々に割り当てられたアクセスレベルに基づいて、前記ユーザの前記ヘルスストリームを共有することをさらに含む、
請求項１６に記載の方法。
【請求項１９】
前記システムの前記１又は２以上のメンバーは、前記ユーザのための１又は２以上の医療供給者及び前記ユーザの家族である、
請求項１８に記載の方法。
【請求項２０】
前記ヘルスストリーム内に新たな医療関連データが存在する場合、前記医療供給者にアラートするステップをさらに含む、
請求項１９に記載の方法。
【請求項２１】
前記アラートは、電子メールメッセージ及びＳＭＳメッセージの一方である、
請求項２０に記載の方法。
【請求項２２】
前記ユーザの前記ヘルスストリームは、前記ヘルスストリーム内に複数のケースを有する、
請求項１６に記載の方法。
【請求項２３】
前記複数のケースは、複数の家族のためのヘルスストリームである、
請求項２２に記載の方法。
【請求項２４】
前記医療関連データは、チェックインイベント、写真、前記ユーザの投薬、外来診療イベント及びビデオのうちの１つである、
請求項１６に記載の方法。
【請求項２５】
前記チェックインイベントは、前記チェックインイベントの場所へのリンクをさらに含む、
請求項２４に記載の方法。
【請求項２６】
前記写真は、元々の電話と、該写真の異なる解像度の１又は２以上のキャッシュバージョンとをさらに含む、
請求項２４に記載の方法。
【請求項２７】
前記投薬は、該投薬の開始及び停止時点、及び前記投薬の投与量レベルをさらに含む、
請求項２４に記載の方法。
【請求項２８】
前記ユーザの前記ヘルスストリームに基づいて、タイムラインユーザインターフェイスを表示するステップをさらに含む、
請求項１６に記載の方法。
【請求項２９】
装置であって、
ユーザのヘルスストリームを記憶するメモリを備え、前記ヘルスストリームは、
前記ユーザのコンピュータ装置によって入力された、前記ユーザに関する１又は２以上の医療関連情報と、
１又は２以上のサードパーティシステムから提供された、前記ユーザに関する１又は２以上の医療関連情報と、
を含む、
ことを特徴とする装置。
【請求項３０】
前記１又は２以上のサードパーティシステムは、ソーシャルネットワーキングシステム、メッセージングシステム及びチェックインを有するシステムのうちの１つをさらに含む、
請求項２９に記載の装置。
【請求項３１】
前記医療関連データは、チェックインイベント、写真、前記ユーザの投薬、外来診療イベント及びビデオのうちの１つである、
請求項２９に記載の装置。
【請求項３２】
前記チェックインイベントは、前記チェックインイベントの場所へのリンクをさらに含む、
請求項３１に記載の装置。
【請求項３３】
前記写真は、元々の電話と、該写真の異なる解像度の１又は２以上のキャッシュバージョンとをさらに含む、
請求項３１に記載の装置。
【請求項３４】
前記投薬は、該投薬の開始及び停止時点、及び前記投薬の投与量レベルをさらに含む、
請求項３１に記載の装置。
【発明の詳細な説明】
【技術分野】
【０００１】
〔優先権の主張／関連出願〕
本出願は、２０１３年１０月７日に出願された「医療サービスマーケットプレイスシステム及び方法（Ｈｅａｌｔｈｃａｒｅ  Ｓｅｒｖｉｃｅ  Ｍａｒｋｅｔｐｌａｃｅ  Ｓｙｓｔｅｍ  ａｎｄ  Ｍｅｔｈｏｄ）」という名称の米国仮特許出願第６１／８８７，９０４号に対する合衆国法典第３５編第１１９条（ｅ）及び第３５編第１２０条に基づく利益を主張するものであり、この仮特許出願は全体が引用によって本明細書に組み入れられる。
【背景技術】
【０００２】
本開示は、一般に医療サービスマーケットプレイスのためのシステム及び方法に関する。
【先行技術文献】
【特許文献】
【０００３】
【特許文献１】米国特許出願第６１／８７１，１９５号明細書
【特許文献２】米国特許出願第１４／３２８，５９１号明細書
【特許文献３】米国特許出願第６１／８８１，９１８号明細書
【特許文献４】米国特許出願第１４／４５５，３４１号明細書
【非特許文献】
【０００４】
【非特許文献１】インターネット＜ＵＲＬ：ｈｔｔｐ：／／ｅｎ．ｗｉｋｉｐｅｄｉａ．ｏｒｇ／ｗｉｋｉ／ＯＡｕｔｈ＞
【非特許文献２】インターネット＜ＵＲＬ：ｈｔｔｐ：／／ｗｗｗ．ｅｌａｓｔｉｃｓｅａｒｃｈ．ｏｒｇ／ｇｕｉｄｅ／ｅｎ／ｅｌａｓｔｉｃｓｅａｒｃｈ／ｒｅｆｅｒｅｎｃｅ／ｃｕｒｒｅｎｔ／ｑｕｅｒｙ−ｄｓｌ−ｍｌｔ−ｑｕｅｒｙ．ｈｔｍｌ＞
【発明の概要】
【発明が解決しようとする課題】
【０００５】
多くの重要な医療情報は、様々な異なる公的及び私的システムに記憶されている。これらの異なるシステムが互いに一切通信せず、或いは共通データフォーマットを有していないことが課題である。
【課題を解決するための手段】
【０００６】
この結果、多くの医療情報は存在するものの、これらの情報は、読み取ることも、アクセスすることもできず、或いは有用性を高めるように統一されてもいない。これらの異なる公的及び私的医療情報システムを統合するシステムを提供することが望ましく、本開示はこれを目的とする。
【図面の簡単な説明】
【０００７】
【図１】医療サービスマーケットプレイスシステムの例を示す図である。
【図２】ヘルスストリームの提供方法を示す図である。
【図３】ヘルスストリームの提供方法を示す図である。
【図４】医療サービスマーケットプレイスシステムの、現在のユーザが所有するタイムラインに投稿するためのユーザインターフェイス例を示す図である。
【図５】医療サービスマーケットプレイスシステムの、タイムライン投稿にタグ付けするためのユーザインターフェイス例を示す図である。
【図６】医療サービスマーケットプレイスシステムの、タイムライン投稿のプライバシー設定のためのユーザインターフェイス例を示す図である。
【図７】医療サービスマーケットプレイスシステムの、タイムライン投稿のプライバシー設定のためのユーザインターフェイス例を示す図である。
【図８】医療サービスマーケットプレイスシステムの、別のユーザからの共有公開ヘルスストリーム投稿を見るためのユーザインターフェイス例を示す図である。
【図９】医療サービスマーケットプレイスシステムの、ダッシュボードのためのユーザインターフェイス例を示す図である。
【図１０】医療サービスマーケットプレイスシステムのプロファイルユーザインターフェイス例を示す図である。
【図１１】医療サービスマーケットプレイスシステムの、ユーザが自身のプロファイルデータに誰がアクセスできるかを制御できる人物追加ユーザインターフェイス例を示す図である。
【図１２】医療サービスマーケットプレイスシステムの状態追加ユーザインターフェイス例を示す図である。
【図１３】医療サービスマーケットプレイスシステムのプロファイルアドレス編集ユーザインターフェイス例を示す図である。
【図１４】医療サービスマーケットプレイスシステムの共有公開プロファイルビューユーザインターフェイス例を示す図である。
【図１５】医療サービスマーケットプレイスシステムの、マーケットプレイス内の人々の発見を可能にする、人物ビューユーザインターフェイス例を示す図である。
【図１６】医療サービスマーケットプレイスシステムの人物詳細ビューユーザインターフェイス例を示す図である。
【図１７】医療サービスマーケットプレイスシステムの人物詳細ビューユーザインターフェイス例を示す図である。
【図１８】医療サービスマーケットプレイスシステムの人物詳細ビューユーザインターフェイス例を示す図である。
【図１９】医療サービスマーケットプレイスシステムの人物発見ユーザインターフェイス例を示す図である。
【図２０】医療サービスマーケットプレイスシステムの人物発見ユーザインターフェイス例を示す図である。
【図２１】医療サービスマーケットプレイスシステムの電子メール招待ユーザインターフェイス例を示す図である。
【図２２】医療サービスマーケットプレイスシステムの最新サービスユーザインターフェイス例を示す図である。
【図２３】医療サービスマーケットプレイスシステムのサービス詳細ユーザインターフェイス例を示す図である。
【図２４】医療サービスマーケットプレイスシステムの一般設定ユーザインターフェイス例を示す図である。
【図２５】医療サービスマーケットプレイスシステムのためのデータベーススキーマの例を示す図である。
【発明を実施するための形態】
【０００８】
本開示は、ウェブベースの医療サービスマーケットプレイスシステムに特に適しており、この文脈で本開示を説明する。しかしながら、本システム及び方法の有用性はさらに高いと理解されるであろう。
【０００９】
医療サービスマーケットプレイスシステムは、様々な異なる医療システムからの医療情報を、医療供給者及び承認済みの家族／友人が容易に利用できるケースに統一することができる。さらに、Ｆａｃｅｂｏｏｋ投稿、ツイート、Ｆｏｕｒｓｑｕａｒｅのチェックイン、Ｙｏｕｔｕｂｅビデオ、及びＦｌｉｃｋｒからの写真により、現在進行中の医療関連の問題に関する重要な情報を提供することもできる。医療関連イベントを容易に追跡できるシステムは、患者−供給者間の関係をさらに強くすることができる。完全なヘルスストリームは、多くの場合、高額な検査及び処置を避ける役に立つことができる。患者には、コスト効率の高い治療オプションを他人に教えるのに役立つように、自身のヘルスストリームイベント及びケースを匿名で共有する選択肢も与えられる。
【００１０】
医療サービスマーケットプレイスシステム、及びこのシステムによって生成されるヘルスストリームは、医療関連イベントのより完全なビューを提供する。システムは、明瞭なサービス記述及び公示価格を含む透過的な医療マーケットプレイスを提供する。図２２〜図２３に、ユーザのヘルスストリーム投稿及びプロファイル情報に基づいて、説明、価格情報及び媒体と共にどのように医療サービスを提示するかを示す。ヘルスストリームは、消費者の履歴に関するより多くの情報を医療供給者に与える。この結果、この情報を用いて、見積要求システムの使用などの、消費者の見積要求に関連するサービスをより良く推奨することができる。ヘルスストリームデータは、システムのコミュニティ内で匿名で共有される場合、他者が自身の最近のヘルスストリームエントリに基づいて、助けになると思われる公示価格のサービスを発見するのに役立つことができる。この共有されるヘルスストリームデータは、マーケットプレイス内でのサービス発見に役立つこともできる。
【００１１】
図１に、ヘルスストリームを生成できる医療サービスマーケットプレイスシステム１００の例を示す。医療マーケットプレイスシステム１００は、通信路１０６を介してバックエンドシステム１０８に接続する１又は２以上のコンピュータ装置１０２を有することができる。図１に示すコンピュータ装置１０２ａ、１０２ｂ、．．．、１０２ｎなどの各コンピュータ装置１０２は、各コンピュータ装置を通信路１０６に接続し、通信路１０６を介してバックエンドシステム１０８に結合できる、メモリ、永続記憶装置、有線又は無線通信回路及びディスプレイを含むプロセッサ搭載装置とすることができる。例えば、各コンピュータ装置は、Ａｐｐｌｅ  Ｃｏｍｐｕｔｅｒ社の製品やＡｎｄｒｏｉｄ  ＯＳベースの製品などのスマートフォン装置、タブレットコンピュータ、パーソナルコンピュータ、端末装置及びラップトップコンピュータなどとすることができる。図１に示す１つの実施形態では、各コンピュータ装置１０２がメモリにアプリケーション１０４を記憶し、コンピュータ装置のプロセッサを用いてこのアプリケーションを実行してバックエンドシステムとやりとりすることができる。例えば、このアプリケーションは、典型的なブラウザアプリケーションとすることも、又はモバイルアプリケーションとすることもできる。通信路１０６は、セキュアなプロトコル又は非セキュアなプロトコルを使用する有線又は無線通信路とすることができる。例えば、通信路１０６は、インターネット、イーサネット（登録商標）、無線データネットワーク、セルラーデジタルデータネットワーク及びＷｉＦｉネットワークなどとすることができる。
【００１２】
バックエンドシステム１０８も、互いに結合できる医療マーケットプレイスエンジン１１０、見積要求エンジン１１２、及び予測価格設定エンジン１１３を有することができる。バックエンドシステムのこれらの各コンポーネントは、１又は２以上のサーバコンピュータ及び１又は２以上のクラウドコンピューティングリソースなどの１又は２以上のコンピューティングリソースを用いて実装することができる。１つの実施形態では、医療マーケットプレイスエンジン１１０、見積要求エンジン１１２及び予測モデリングエンジン１１３の各々を、バックエンドシステムの１又は２以上のコンピューティングリソースのプロセッサによって各々が実行される複数行のコンピュータコードを有するソフトウェアで実装することができる。他の実施形態では、医療マーケットプレイスエンジン１１０、見積要求エンジン１１２及び予測モデリングエンジン１１３の各々を、プログラムドロジックデバイス及びプログラムドプロセッサ又はマイクロコントローラなどのハードウェアで実装することができる。バックエンドシステム１０８は、ヘルスケアシステムを構築する様々なデータ及びソフトウェアモジュールを記憶するストア１１４に結合することができる。ストア１１４は、ハードウェアデータベースシステム、ソフトウェアデータベースシステム、又は他のいずれかのストレージシステムとして実装することができる。
【００１３】
医療マーケットプレイスエンジン１１０は、医療ソーシャルコミュニティに参加している開業医をほんの数年前には想像もできなかった方法で潜在的顧客にたどり着けるようにすることができる。このマーケットプレイスは、消費者と通信して自分自身を売り込むためのソーシャルポータルを開業医に与えることに加え、各医療管理医に、Ｇｒｏｕｐｏｎ、Ｌｉｖｉｎｇ  Ｓｏｃｉａｌ、又はその他のソーシャルマーケットプレイスのユーザによく知られている環境で自身のサービスを提供する能力を与える。
【００１４】
見積要求エンジン１１２が医療マーケットプレイスシステム１１０の一部である図１の例では、この見積要求エンジン１１２が、ユーザの症状の治療又は所望の専門診療を行う自分の地域の開業医を医療マーケットプレイスシステムのユーザが検索し、ユーザが必要とするサービスの見積を要求できるようにする。見積要求エンジン１１２のさらなる詳細は、２０１３年８月２８日に出願された米国特許出願第６１／８７１，１９５号及び２０１４年７月１０日に出願された米国特許出願第１４／３２８，５９１号に記載されており、これらの特許出願は全体が引用によって本明細書に組み入れられる。予測モデリングエンジン１１３は、予測モデリングに基づいて医療サービス価格を生成することができる。予測モデリングエンジン１１３のさらなる詳細は、２０１３年９月２４日に出願された米国特許出願第６１／８８１，９１８号及び２０１４年８月８日に出願された米国特許出願第１４／４５５，３４１号に記載されており、これらの特許出願は全体が引用によって本明細書に組み入れられる。
【００１５】
医療マーケットプレイスシステム１１０は、医療システム１００のユーザである、医療システム１００にログインしている各メンバーのためのヘルスストリームを生成できる医療管理エンジン１１０ａをさらに有することができる。医療管理エンジン１１０ａ及び後述するその機能は、ヘルスストリームに対して後述するような動作を実行するように構成された、上述したコンピューティングリソースのプロセッサによって実装することができる。医療管理エンジン１１０ａは、後述の動作を実行するために、医療関連データを処理してヘルスストリームを生成するヘルスストリームジェネレータユニットと、サードパーティシステムのＡＰＩを用いてサードパーティシステムからユーザの医療関連データをインポートするサードパーティユニットと、（図２〜図３に例を示す）ヘルスストリームタイムラインユーザインターフェイス、及び後述するようなシステムの他のユーザインターフェイスを生成するユーザインターフェイスユニットとをさらに含むことができる。
【００１６】
ヘルスストリームは、医療関連情報及びイベントを、患者、（単複の）医療供給者、及びシステムの各メンバー／ユーザの承認済みの家族／友人間で共有できるタイムラインにグループ化する。各ユーザ／メンバーの情報は、アプリケーション１０４を用いてヘルスストリームに直接入力することができる。これとは別に、又はこれに加えて、ユーザ／メンバーに関する情報は、Ｆａｃｅｂｏｏｋ（登録商標）などのソーシャルネットワーキングシステム、Ｔｗｉｔｔｅｒ（登録商標）などの通信システム、Ｆｏｕｒｓｑｕａｒｅ（登録商標）などのチェックインシステム及びその他のウェブサイトを含む他のシステムにおいて行われた入力からインポートすることもできる。詳細な医療日誌を継続するには、多くの規律及び作業が必要であり、多忙な人々はこれに対応する時間がないことが多いが、ユーザ／メンバーに関する多くの重要な医療情報は、常にソーシャルネットワーク及びウェブサイトに記録されている可能性がある。ヘルスストリームは、これらの他のシステムにおいて既に記録済みの情報をインポートし、医療情報のタイムラインとして視覚化できるように整理する容易な方法をユーザに提供することができる。
【００１７】
図４〜図８にユーザインターフェイス例を示す（ヘルスストリームの一部である）ヘルスタイムラインは、ユーザによって設定できる所要のアクセス権及びアクセス特権を有するＰｏｋｉｔＤｏｋコミュニティの承認済みメンバー（医療供給者、家族、友人）によっていつでもレビューのために利用することができる。基本となる許可は、オプトイン処理としてのデータアクセスを可能にするいずれかの方法とすることができる。これらの特権を手動設定することをデフォルト動作とすることができる。
【００１８】
このシステムでは、ユーザ／メンバーが、既知のＯＡｕｔｈ許可フロー（さらなる詳細は、引用により本明細書に組み入れられるｈｔｔｐ：／／ｅｎ．ｗｉｋｉｐｅｄｉａ．ｏｒｇ／ｗｉｋｉ／ＯＡｕｔｈで見ることができる）を用いて、ＰｏｋｉｔＤｏｋが提供する医療システムなどの医療システム内のアカウントを、ユーザ／メンバーによって確立された他のアカウントにリンクすることができる。ＯＡｕｔｈフローは、システムが医療関連情報を収集できるようにユーザのアカウント（ソーシャルネットワークアカウント及びウェブアカウント）をリンクする。アカウントがリンクされると、コンピュータ装置上のアプリケーション１０４が、各リンク先システムにＡＰＩコールを行って、医療関連投稿をそのヘルスストリームにインポートすることができる。システムは、どの投稿が医療に関連するものであるかを判断するために、各投稿を解析し、基本キーワード又は用語の共起頻度を検索するとともに、ユーザのプロファイル及び情報ストリームをクロールする一方で、システムへのログインに参加する。或いは、システムは、周知の用語出現頻度−逆文献頻度（ｔｆ−ｉｄｆ）へのクラスタリングを使用することもできる。例えば、この技術の実装例は、引用により本明細書に組み入れられるｈｔｔｐ：／／ｗｗｗ．ｅｌａｓｔｉｃｓｅａｒｃｈ．ｏｒｇ／ｇｕｉｄｅ／ｅｎ／ｅｌａｓｔｉｃｓｅａｒｃｈ／ｒｅｆｅｒｅｎｃｅ／ｃｕｒｒｅｎｔ／ｑｕｅｒｙ−ｄｓｌ−ｍｌｔ−ｑｕｅｒｙ．ｈｔｍｌで見ることができる。
【００１９】
このログインは、システムにそれぞれのユーザ情報へのアクセス権を与える。また、以下で図２を参照しながらさらに詳細に説明するように、ユーザは、エントリを自身のヘルスストリームとの間でドラッグアンドドロップして、ヘルスストリームに何を恒久的に記憶するかを素早く管理することができる。
【００２０】
この医療システムでは、各ユーザ／メンバーのために生成されたタイムラインビューが、タイムラインビュー内の複数のケースをサポートすることができる。各ケースは、イベントをまとめて記憶できるファイルシステム上のディレクトリのようなものとすることができる。例えば、ある母親は、自分のために定められたケースと、未だ自分のヘルスストリームを管理するのに十分な年齢ではない自分の幼い子供のために定められたケースとを有することができる。この母親がＰｏｋｉｔＤｏｋヘルスストリームを使用すると、診療所における自分のチェックインがケースフォルダにインポートされるようになる。この母親は、ＰｏｋｉｔＤｏｋアカウントにリンクできる様々なソーシャルネットワーク及びシステムによって提供されるＡＰＩを利用すると、自分の子供が発熱していることについてフェイスブックに投稿した時に、このイベントが子供のケースフォルダにインポートされるようになる。ＰｏｋｉｔＤｏｋユーザがシステムに戻るたびに、非同期タスクがキューに入れられて、リンク先アカウントから最新データを処理できるようになる。上記のタスクの結果は、アプリケーション内でリスト表示することができる。このリスト内の各エントリは、ＨＴＭＬ５のドラッグアンドドロップ機能を用いてケースに手動で追加することができる。また、可能な場合、インポートされたエントリは、インポートされたコンテンツを医療関連のキーワードについて分析することによってケースに自動的に追加することもできる。例えば、システムは、ＤＢＰｅｄｉａ、ＭｅＳＨ（ｗｗｗ．ｎｌｍ．ｎｉｈ．ｇｏｖ／ｍｅｓｈ／）を使用できるのと同様にグラフ推論トポロジー／医療タイプ分類法を介して互いに意味をリンクすることができるので、キーワード、キーになる用語、キーになる語句、症状又は処置は、以下に限定されるわけではないが、熱、痛み、医者、ＡＣＡ、オバマケアなど、及び医療に関連する何かの類いとすることができる。例えば、この分野におけるリンク先のデータ機構を可能にするコンテンツ参照については、ｈｔｔｐ：／／ｄｂｐｅｄｉａ．ｏｒｇ／Ａｂｏｕｔ又はｈｔｔｐ：／／ｗｗｗ．ｎｃｂｉ．ｎｌｍ．ｎｉｈ．ｇｏｖ／ｐｍｃ／ａｒｔｉｃｌｅｓ／ＰＭＣ３２４５０８８／を参照されたい。例えば、以下は、ユーザが心臓病というテーマを選択した場合にヘルスストリーム内に容易に引き込むことができるコンテンツの一部である：・８月１０日  ＃ｐｈｙｓｉｃａｌａｃｔｉｖｉｔｙ（身体活動）を増やすと、心臓病のリスクが減り、エネルギーが増え、気分が良くなる：ｈｔｔｐ：／／ｏｗｌ．ｌｉ／ｚＧ４ＢＵ  ＃ｇｅｔｍｏｖｉｎｇ（動くこと）。
【００２１】
医療システムは、様々なヘルスストリームエントリタイプをサポートすることができる。例えば、ヘルスストリームにチェックインが追加されると、この場所へのリンクがジオロケーション情報と共に記憶され、従ってマップビュー上に素早く表示することができる。別の例として、写真付きエントリがヘルスストリームに追加されると、元の写真へのリンクが写真のキャッシュバージョンと共に異なる状況で表示できるように様々な解像度で記憶される。ヘルスストリームでは、いつ投薬を開始／停止したかに関する情報及び投薬の投与量の詳細を含む、投薬に関するエントリをタイムラインに追加することもできる。また、ヘルスストリームには、医者の予約を追加することもできる。さらに、ヘルスストリームのビデオエントリは、ヘルスタイムラインに他の情報と共に埋め込むことができるように元のビデオへのリンクを含む。これらの特定のヘルスストリームエントリタイプに加えて、多岐にわたるファイル添付をサポートする汎用エントリタイプを利用可能にすることもできる。例えば、ユーザが、電子メールで送られてきた血液結果のＰＤＦを有しており、このケース上でも他の医療供給者と共有できるように自身のヘルスストリームにこのＰＤＦを追加したいと望むことがある。ユーザは、ヘルスストリームにおいて、添付のＰＤＦを自身の電子メールからタイムライン内の適当なケースにドラッグすることができる。
【００２２】
システム１００では、とりわけ各ユーザのヘルスストリーム内のデータのアクセス制御を行えるように、ユーザの各エントリを、ユーザのグローバル一意識別子、及び情報を見ることが許可された他のＰｏｋｉｔＤｏｋユーザの識別子と共にストア１１４に記憶することができる。このシステムでは、各エントリを、データ上に明示的に指定されたユーザ間のみで公開されるようにデフォルト設定することができる。ユーザは、自身が特定の医療問題について得た情報を自身の身元を明かさずにコミュニティと共有したいと望む場合、プライバシーレベルを「匿名」に変更することを選択することができる。
【００２３】
ユーザのヘルスストリームケースの一部である医療供給者も、ヘルスストリームにイベントを追加することができる。例えば、供給者は、ユーザと会う際にユーザのヘルスストリームをレビューして、ユーザが医療マーケットプレイスに投稿したサービスをユーザの治療計画の一部として推奨することができる。これにより、このサービスが日付／時間スタンプと共にヘルスストリームに追加され、従って患者及び他の医療供給者の全てが、現在行われている治療及び投薬についての最新情報を有するようになる。複数の供給者がケースに参加している場合、電子メール及びショートメッセージシステム（ＳＭＳ）のアラートをトリガして、これらの供給者に新たな情報がレビュー可能になった旨を知らせることができる。
【００２４】
図２及び図３に、ヘルスストリームの提供方法を示す。図２には、ユーザのヘルスストリーム２００を用いたドラッグアンドドロップ管理を示す。図２に示すように、このユーザのヘルスストリームの例は、ある期間中にユーザに発生した１又は２以上のエントリ２０２を有することができる。図２に示すように、これらのエントリは、状態の更新、写真、外来治療の予約及び所定の投薬とすることができる。上述したように、ヘルスストリームは、１又は２以上のリンク先システムからのエントリ／イベントを含むことができる。例えば、図２に示すように、リンク先システムは、Ｔｗｉｔｔｅｒ（ツイートメッセージ）、ｆｏｕｒｓｑｕａｒｅ（チェックイン）、及びＦａｃｅｂｏｏｋ（写真又はメッセージ）などとすることができる。さらに、システム１００では、ユーザが、リンク先システムのイベントをユーザのヘルスストリーム内にドラッグアンドドロップすることもできる。図３には、メンバー（承認済みの家族、主な医療供給者、承認済みの購入サービス）及びリンク先サービス（図３の例ではＦａｃｅｂｏｏｋ）によって生成されたエントリを含む別のヘルスストリームの例を示す。
【００２５】
図４には、医療サービスマーケットプレイスシステムの、ユーザがタイムラインに自身のビュー（ユーザのヘルスストリーム）を投稿するためのユーザインターフェイス例を示しており、図５には、医療サービスマーケットプレイスシステムの、ユーザがタイムライン投稿に新規タグを追加できるユーザインターフェイス例を示す。図６及び図７には、医療サービスマーケットプレイスシステムの、ユーザが自身のタイムラインのアクセス制御リストを調整できる、タイムライン投稿のプライバシー設定のためのユーザインターフェイス例を示す。図８には、医療サービスマーケットプレイスシステムの、アクセス制御設定に基づいて公開投稿／エントリ又は（別のユーザのヘルスストリームを見ている）閲覧者と共有されたエントリ／投稿のみが表示される、タイムライン投稿内の共有公開ビューのためのユーザインターフェイス例を示す。図９には、医療サービスマーケットプレイスシステムの、特定のユーザに関連するユーザのケース（例えば、インフルエンザ、腰痛及び睡眠時無呼吸）のビューを表示するダッシュボードのためのユーザインターフェイス例を示す。図１５にも、ユーザのケースビューの例を示している。
【００２６】
図１０には、医療サービスマーケットプレイスシステムのアカウントプロファイルユーザインターフェイス１０００の例を示す。このユーザインターフェイスは、特定のユーザの個人詳細情報を表示する個人詳細情報部分１００２を有することができる。例えば、図１０に示すように、個人詳細情報は、住所／所在地、１又は２以上の既知の状態、及びユーザに関連する１又は２以上の医療供給者（開業医）を含むことができる。図１０及び図１１に示すように、ユーザは、既知の状態部分及び医療供給者部分に追加情報を加えることができる。例えば、図１２には、状態を追加するためのユーザインターフェイスを示しており、図１３には、システム内の住所を編集するためのインターフェイスを示している。また、図１１に示すように、このシステムでは、ユーザが、ユーザのヘルスストリームの閲覧及び／又はユーザとのやりとりを認可された人々をさらに追加することもできる。
【００２７】
図１４には、医療サービスマーケットプレイスシステムの、ユーザのプロファイルへのアクセス権（共有）を有するシステムのユーザが見ることができるユーザのビューである共有公開ビューユーザインターフェイス例を示す。
【００２８】
図１５には、医療サービスマーケットプレイスシステムの人物発見ビューユーザインターフェイス例を示しており、図１６〜図１８には、医療サービスマーケットプレイスシステムの人物詳細ビューユーザインターフェイス例を示している。これらのユーザインターフェイスでは、システムのユーザが、例えば人々がシステムの他のユーザをフォローするなど互いにやりとりすることができる。図１９〜図２０には、医療サービスマーケットプレイスシステムの、ユーザがシステムの他のユーザを検索できるようにする人物発見ユーザインターフェイス例を示す。図２１には、医療サービスマーケットプレイスシステムの電子メールビュー招待ユーザインターフェイス例を示す。
【００２９】
図２２には、医療サービスマーケットプレイスシステムの最新サービスユーザインターフェイス例を示しており、図２３には、医療サービスマーケットプレイスシステムのサービス詳細ユーザインターフェイス例を示している。これらのユーザインターフェイスでは、ユーザが、システムのユーザに提案されるシステム内の医療サービスを見ることができる。
【００３０】
図２４には、医療サービスマーケットプレイスシステムの一般設定ユーザインターフェイス例を示す。このユーザインターフェイスでは、ユーザが、システムの各ユーザの共有レベルを設定することができる。ヘルスストリームエントリを自動的にインポートするために使用するリンク先アカウントも、このユーザインターフェイスを介して管理される。
【００３１】
図２５には、医療サービスマーケットプレイスシステムのためのデータベーススキーマの例を示す。図示のように、システムは、「〜の品質を定める」又は「〜を実行する」などの関係をリスト表示する矢印、及びそのような関係の方向によって示すように互いに関連する、図２５に円で示す１又は２以上のデータ項目（見積、サービス、消費者、企業、その他）を有することができる。システムは、図２５に示すデータベーススキーマによって、上述した様々な機能を提供することができる。
【００３２】
上記では、本発明の特定の実施形態を参照したが、当業者であれば、添付の特許請求の範囲によって範囲が定められる本開示の原理及び思想から逸脱することなく、この実施形態に変更を行うこともできると理解するであろう。
【符号の説明】
【００３３】
１００  医療マーケットプレイスシステム
１０２  コンピュータ装置
１０２ａ  コンピュータ装置
１０２ｂ  コンピュータ装置
１０２ｎ  コンピュータ装置
１０４  アプリケーション
１０６  通信路
１０８  バックエンドシステム
１１０  医療マーケットプレイスエンジン
１１０ａ  医療管理エンジン
１１２  ＲＦＱエンジン
１１３  予測モデルエンジン
１１４  ストア
【図１】
2017500623.tif 000003
【図２】
2017500623.tif 000004
【図３】
2017500623.tif 000005
【図４】
2017500623.tif 000006
【図５】
2017500623.tif 000007
【図６】
2017500623.tif 000008
【図７】
2017500623.tif 000009
【図８】
2017500623.tif 000010
【図９】
2017500623.tif 000011
【図１０】
2017500623.tif 000012
【図１１】
2017500623.tif 000013
【図１２】
2017500623.tif 000014
【図１３】
2017500623.tif 000015
【図１４】
2017500623.tif 000016
【図１５】
2017500623.tif 000017
【図１６】
2017500623.tif 000018
【図１７】
2017500623.tif 000019
【図１８】
2017500623.tif 000020
【図１９】
2017500623.tif 000021
【図２０】
2017500623.tif 000022
【図２１】
2017500623.tif 000023
【図２２】
2017500623.tif 000024
【図２３】
2017500623.tif 000025
【図２４】
2017500623.tif 000026
【図２５】
2017500623.tif 000027
【国際調査報告】
2017500623.tif 000028